(57)【特許請求の範囲】
【請求項１】
複数のチューナ毎に復号手段を有するチューナモジュールを有するサーバであって、
使用されていないチューナモジュールに対して現在録画および視聴のために使用されているチューナモジュールで使用しているチャンネル以外の中で、視聴・録画した回数の最も多いチャンネルを選ぶ方式、もしくは、視聴・録画した時間が最も長いチャンネルを選ぶ方式、最も現在に近い時刻に視聴・録画したチャンネルを選ぶ方式、及び、前記いずれかの方式で抽出した結果、２つ以上候補が残った場合は、それ以外の別の方式を組み合わせて、１つのチャンネルの候補を抽出する方式のいずれかの方式を用いて抽出したチャンネルを割り当てて受信および復号処理を行わせるチューナユニット管理手段を備えたことを特徴とするサーバ。
【発明の詳細な説明】
【技術分野】
【０００１】
この発明は、デジタル放送受信装置に関し、より特定的には、デジタルテレビ放送を受信
するためのデジタル放送受信装置に関する。
【背景技術】
【０００２】
近年、デジタル放送機器の普及とともに受信機の高機能化が進んできている。特に複数のチャンネルを受信し、視聴/蓄積を行う受信機の開発が進んできており、たとえば、受信機の中に複数のチューナを持ち、複数のチャンネルを同時に録画する受信機が提案されている。この受信機は、受信した放送データを各ユニットの蓄積装置へ転送し、記録することで録画を行っている。また、再生に関しては、再生ユニットにおいて映像のデコードを行い、映像出力を実現している。
【０００３】
【特許文献１】特開２００２−１１２１３８号公報
【発明の開示】
【発明が解決しようとする課題】
【０００４】
しかしこれまでの複数チューナを搭載した番組サーバーでは、現在視聴しているチャンネルから他のチャンネルに切り替えたときに視聴可能になるまでに所定の時間待たなければならない。
【０００５】
本発明は、この待ち時間を極力減らし、新たなチャンネル切り替え時においてもスムーズな視聴を可能とすることを目的とする。
【課題を解決するための手段】
【０００６】
本発明の第１の携帯端末は、
【発明の効果】
【０００７】
本発明により、チャンネル切替時の待ち時間を極力減らすことができ、新たなチャンネル切り替え時においてもスムーズな視聴を可能である。
【発明を実施するための最良の形態】
【０００８】
以下、図面を参照して本発明を実施するための最良の形態について詳細に説明する。まず、図１を参照して本発明の実施の形態の電源制御装置（ｂ）について説明する。図１は本発明の実施の形態の構成について説明するための概念図である。
【０００９】
次に制御ユニットの統合制御部の機能構成の詳細を説明する。統合制御部は、図１に示されるように、画像処理・表示部に対して表示処理を指示し、ユーザーからの操作を入力(例えばキーボード、リモコン、マウス等から入力する)する。ユーザーインターフェース部、チューナユニットとの通信を行うデータ通信部、 チューナユニットに蓄えられた蓄積データを管理する蓄積データ管理部、 チューナユニットに対して適切な予約録画を設定するための録画予約管理部、チューナユニットの選局状態などを管理するチューナユニット管理部、及び、システム全体の電源の制御、故障の管理などを行うシステム管理部から構成される。
【００１０】
このうちチューナユニット管理部では、以下の情報を蓄積し、高速なチャンネル切り替えを実現している。
【００１１】
選局中のチャンネルリスト、過去に視聴・録画したチャンネルのリストの選局中のチャンネルリストは、例えば、表 1に示されるように、どのチューナによって録画されているか示す情報と、現在どのチャンネルが選局されているかどうかを示す情報(例えば、電波の送出元とチャンネル番号)、及び、選局しているチャンネルがどのように使用されているか使用状況を示す情報(再生中/録画中もしくはその両方)からなる。
図２（ａ）、（ｂ）
本アイデアにおける視聴または録画の開始時の動作をフローチャート図３を用いながら説明する。視聴・録画の開始時、まず、現在選局中のチャンネルリストから視聴・録画を行おうとしているチャンネルが選局済みであるかどうかを調べる。
選局中のチャンネルリストに視聴・録画を行おうとしているチャンネルがなければ、選局中チャンネルリストの中に未使用の使用状況を持つチューナが存在するか(チューナに空きがあるか)どうかを調べる。
で未使用のチューナがなければ、空きチューナがないため視聴・録画を行うことはできず、視聴・録画の開始処理を中止する。選局中のチャンネルリストに空きチューナが存在した場合、空いているチューナユニットに対して、視聴・録画するチャンネルの切り替えを行う。選局中のチャンネルリストに視聴・録画を行おうとしているチャンネルが存在した場合、選局中のチャンネルリストの該当するチャンネルの使用状況を変更する。同様に、選局中チャンネルリストに視聴・録画を行おうとしているチャンネルが存在しなかった場合、選局中のチャンネルリストの中で選局を行ったチューナのチャンネルを特定する欄に対して新たに選局したチャンネルを記述し、使用状況を更新する。
次に、視聴のための処理であった場合、該当するチャンネルを選局しているチューナからの映像出力を映像表示装置から出力できるように、ユーザーインターフェース部及び画像処理・表示部を介して映像合成部に対して映像(音声)の合成もしくは切り替えの支持を出す。
【００１２】
録画のための処理であった場合、データ通信部を介して該当するチャンネルを選局しているチューナユニットに対して、録画開始の指示を出す。
【００１３】
開始の動作に引き続き、視聴または録画が終了する場合の動作をフローチャート図４を用いながら説明する。視聴または録画終了時、まず、過去に視聴・録画したチャンネルリストに終了処理を行うチャンネルの情報を追加する。
【００１４】
次に、選局中のチャンネルリスト上の終了処理を行うチャンネルに対して、使用状況を更新する。
例えば、視聴を終了する場合で、使用状況が視聴のみであったならば、未使用に変更する。次に視聴を終了する場合で、使用状況が視聴と録画の両方であったならば、録画に変更する。次に選局中のチャンネルリストの更新で、使用状況が未使用に変わったかの検出を行う。次に選局中のチャンネルリストの更新で、使用状況が未使用に変わった場合、過去に視聴・録画したチャンネルリストの中から今後視聴を行う可能性の高いチャンネルを抽出する。抽出方法は後記。使用状況が未使用になったチューナに対して、抽出した今後視聴する可能性の高いチャンネルへチャンネル切り替えを行うため、データ通信部を介して選局をチューナユニットへ指示する。
【００１５】
続いて視聴の可能性の高いチャンネルを抽出する処理の詳細に関して説明する。過去に視聴・録画したチャンネルリストから、現在選局されていないチャンネルの中で、視聴・録画した回数の最も多いチャンネルを選ぶ方式、もしくは、視聴・録画した時間が最も長いチャンネルを選ぶ方式、最も現在に近い時刻に視聴・録画したチャンネルを選ぶ方式、及び、 前記いずれかの方式で抽出した結果、2つ以上候補が残った場合は、それ以外の別の方式を組み合わせて、1つのチャンネルの候補を抽出する方式のいずれかの方式を用いて視聴の可能性が高いチャンネルを抽出する。
【００１６】
また、前記の抽出を高速に行うため、図２（ａ）に示されるようにチャンネルごとに、視聴・録画回数、及び、総視聴・録画時間をあらかじめ計算したテーブルを設ける実装としてもよい。
【００１７】
ここで、起動直後など、視聴・録画が開始されていない状況での処理を図２（ｂ）で説明する。起動直後など、視聴・録画がまだ行われてない段階では、各チューナユニットのチューナ部はいずれのチャンネルにも選局されていない。このため、本受信機の終了時、最後に選曲していたチャンネルを記憶し、起動時など開始時に再び同じチャンネルへ選局を行う作りとしてもよいし、起動時の処理として、上述した視聴の可能性の高いチャンネルの抽出をチューナの数分だけ実施し、抽出したチャンネルに選局する作りとしてもよい。
【００１８】
本発明は、一つの放送受信装置内に各チューナユニットと制御ユニットが配置される形態をとってきたが、別の実施の形態として、それぞれのチューナユニット、及び、制御ユニットが独立した受信機として構成してもよい。  本発明のチューナユニットでデコードされた映像信号を制御信号とは別の専用伝送路を介して制御ユニットに送り、制御ユニットにて映像を合成するつくりとすることで、 伝送遅延を小さくすることができ、チャンネル切り替えを高速に実現できる。また、複数のチューナユニットからの映像信号を制御ユニットにて合成することで、PinP等複数の映像を同時に視聴することを可能とする。未使用のチューナに対して、あらかじめ視聴の可能性の高いチャンネルをチューニングしておくことで、あらかじめ選局してあったチャンネルへのチャンネル切り替え時間は、制御ユニットの映像合成部での映像の切り替え／合成に必要な時間だけとなる。このため、チューナユニットでの周波数のチューニングや所望のストリームの抽出等の処理が省略でき、より高速なチャンネル切り替えを実現できる。
【図面の簡単な説明】
【００１９】
【図１】本発明の実施の形態のブロック図を説明するための図である。
【図２】本発明の実施の形態の録画、視聴時間を記録した表である。
【図３】本発明の実施の形態の動作を説明するための第１のフローチャートである。
【図４】本発明の実施の形態の動作を説明するための第２のフローチャートである。
【符号の説明】
【００２０】
１  サーバ
２  ユーザインタフェース部
３  システム管理部
４  チューナユニット管理部
５  チューナユニット部
６  データ通信部
７  蓄積データ管理部
８  録画予約管理部
９  記憶部
１０、２０  情報端末
５０  ネットワーク
【図１】
0005391567.tif 000002
【図２】
0005391567.tif 000003
【図３】
0005391567.tif 000004
【図４】
0005391567.tif 000005